(57)【要約】【課題】第一に、加熱部との絶縁を強化すること、第二に、加熱部の熱を遮熱し、外郭ケースの温度上昇を抑制すること、第三に、シリコン接着部の温度上昇を抑制することを課題とする。【解決手段】被加熱調理容器が載置される天板４と、天板４の下部に配置された加熱部９と、加熱部９の外郭を構成する加熱部外郭板金１３と、加熱部外郭板金１３に取り付けられた加熱部取付板金１４と、加熱部取付板金１４を載置する絶縁用キャップ１２と、絶縁用キャップ１２の下部に設けられ、加熱部９を天板４に押圧するためのコイルバネ１０と、コイルバネ１０に嵌挿された支持板１１と、本体外郭を構成し、樹脂ケース６が載置された外郭ケース１とを備える。そして、支持板１１を樹脂ケース６に取り付ける。【選択図】図２
2010032188.tif 000002
【特許請求の範囲】
【請求項１】
被加熱調理容器が載置される天板と、
前記天板の下部に配置された加熱部と、
前記加熱部の外郭を構成する外郭板金と、
前記外郭板金に取付けられた加熱部取付板金と、
前記加熱部取付板金を載置する絶縁用キャップと、
前記絶縁用キャップの下部に設けられ、前記加熱部を前記天板に押圧するためのコイルバネと、
前記コイルバネに嵌挿された支持部材と、
本体外郭を構成し、内部に絶縁ケースが載置された外郭ケースと
を備え、
前記支持部材を絶縁ケースに取付けたことを特徴とする加熱調理器。
【請求項２】
前記加熱部の下方に絶縁ケースを配置したことを特徴とする請求項１記載の加熱調理器。
【請求項３】
前記天板の外周側に配置された天板フレームと、前記天板と前記天板フレームとをシリコン接着したシリコン接着部とを備え、
前記シリコン接着部に冷却風があたるように、絶縁ケースに斜面を設けたことを特徴とする請求項１又は２記載の加熱調理器。
【発明の詳細な説明】
【技術分野】
【０００１】
本発明は、ヒータ加熱部等を備えた加熱調理器に関する。
【背景技術】
【０００２】
従来のこの種の加熱調理器として、例えば、被加熱調理容器を載置するための耐熱性のセラミックなどからなる天板と、天板の下方に位置し被加熱調理容器を加熱するための加熱部と、加熱部を取り付けるための取付板と、取付板に挿通し加熱部を支持するための支持棒と、支持棒に嵌挿し、加熱部を天板に当接させるためのコイルばねと、加熱部の下方に位置し、本体外郭との遮熱を行うための、金属製の遮熱板と、本体外郭を構成する外郭ケースと、遮熱板と取付板とを外周面にて係合し、支持棒を内周面にて係合させ、コイルばねを底面に当接させ、電気的な絶縁を行う耐熱性の絶縁（物にて成る略円筒状の絶縁板にて構成されているものが提案されている。そして、この加熱調理器は、加熱源であるヒータは、絶縁材の上に載置されている。加熱部外郭板金は、絶縁材を保持している。取付板は、加熱部外郭板金にネジにて締結されている（例えば特許文献１参照）。
【０００３】
【特許文献１】特開平０９−２６６０６２号公報（［０００６］、図１）
【発明の開示】
【発明が解決しようとする課題】
【０００４】
上記のような従来の加熱調理器の構成では、以下のような課題を有している。
【０００５】
第一に、一次絶縁である絶縁材が、吸湿、破損等により絶縁破壊が発生した場合には、ヒータ部と加熱部外郭部品とが電気的に短絡してしまう。この状態にて、二次絶縁である絶縁板が破損等により絶縁破壊が発生した場合には、加熱部外郭部品と取付板を介して、支持棒がヒータと電気的に短絡してしまう。支持棒は、外郭ケースに直接設置されているため、支持棒を介してヒータと外郭ケースが電気的に短絡してしまう場合がある。このように、ヒータと外郭ケースとが電気的に短絡してしまった場合には、使用者が外郭ケースに触れる可能性があり、感電のおそれがあった。
【０００６】
第二に以下のような課題を有する。
加熱部の下方に遮熱板を配置しているが、遮熱板は、熱伝導率の高い金属製であるため、加熱部の熱を外郭ケースに伝えやすい。外郭ケースの温度上昇により、加熱調理器が搭載されているキッチン内温度を上昇させてしまう。そのため、キッチン内に収納されている調味料の劣化を早めてしまうおそれがあった。
【０００７】
第三に、以下のような課題を有する。
加熱部で発生した熱は、加熱部シリコン接着部とシリコン接着部との距離が近いために、シリコン接着部に熱が伝わりやすい。シリコン接着部の温度が上昇することにより、天板フレームの温度も上昇してしまう。天板フレームの温度が上昇すると、使用者が天板フレームを触れた際に、火傷のおそれがあった。
【０００８】
本発明は、以上の課題を解決するものであり、第一に、加熱部との絶縁を強化し、より安全性の高い加熱調理器を提供することを目的としている。
第二に、加熱部の熱を遮熱し、外郭ケースの温度上昇を抑制することにより、キッチン内の温度上昇を抑制し、キッチン内に収納された調味料の劣化を抑制することができる加熱調理器を提供することを目的としている。
第三に、シリコン接着部の温度上昇を抑制し、天板フレームの温度上昇も抑制することにより、使用者が火傷をするおそれを低減することができる加熱調理器を提供することを目的としている。
【課題を解決するための手段】
【０００９】
本発明に係る加熱調理器は、被加熱調理容器が載置される天板と、前記天板の下部に配置された加熱部と、前記加熱部の外郭を構成する外郭板金と、前記外郭板金に取り付けられた加熱部取付板金と、前記加熱部取付板金を載置する絶縁用キャップと、前記絶縁用キャップ下部に設けられ、前記加熱部を前記天板に押圧するためのコイルバネと、前記コイルバネに嵌挿された支持部材と、本体外郭を構成し、樹脂ケースが載置された外郭ケースとを備え、前記支持部材を樹脂ケースに取り付けたものである。
【発明の効果】
【００１０】
本発明に係る加熱調理器によれば、加熱部の一次絶縁が劣化した場合、さらに絶縁用キャップの二次絶縁が劣化した場合であっても、支持部材は樹脂ケースに取り付けられており、支持部材と外郭ケースとの間に樹脂ケースが介在しているので、上記のように、二次絶縁が劣化した状態であっても、支持部材が外郭ケースとが電気的に短絡することはなく、より安全性の高い加熱調理器を提供することができる。
【発明を実施するための最良の形態】
【００１１】
実施の形態１． 
図１は本発明の実施の形態１に係る加熱調理器の上面図であり、図２は図１のＡ−Ａ断面図である。なお、図２は図１のＡ−Ａ断面を９０度回転させた状態で図示されている。
【００１２】
（構成）
この加熱調理器は、本体の外郭を形成する外郭ケース１を備えている。この外郭ケース１は、例えば金属製のケースから構成されている。外郭ケース１の前方（図２の左側）下部には本体内部に冷却風１９を取り込むための吸気口２が設けられており、外郭ケース１の後方（図２の右側）上部には、本体内部に取り込んだ冷却風１９を外部に排出するための排気口３を設けられている。外郭ケース１の上方には、調理物を載置するための耐熱ガラス製の天板４が設けられている。
【００１３】
また、外郭ケース１の内部には、様々な電気部品を保持するための樹脂ケース６が載置される。そして、この樹脂ケース６には、吸気口２から吸気して本体内部に冷却風１９を送風するためのファン７が設置されている。天板４の外周側には、金属製の天板フレーム５が設けられ、天板４と天板フレーム５とは、シリコン接着部１７にてシリコンで接着されている。樹脂ケース６の後方には冷却風１９がシリコン接着部１７に当たるようにするために斜面１８が設けられており、冷却風１９は斜面１８により斜め上方に導かれてその一部はシリコン接着部１７を冷却する。なお、樹脂ケース６は本発明の絶縁ケースに相当するものであり、その材料は樹脂に限定されず、絶縁性と耐熱性があるものであれば他の部材を用いてもよい。
【００１４】
ファン７の後方には加熱部制御基板８が設けられており、これは樹脂ケース６の上に例えばネジにて締結されている。ファン７と加熱部制御基板８とは、ファン７に設けられたリード線（図示せず）にて電気的に接続される。
【００１５】
加熱部制御基板８の後方には、調理物を加熱するための加熱部９を、天板４に付勢するためのバネ１０の軸芯となる支持板１１が、樹脂ケース６にネジにて締結されている。なお、支持板１１は、本発明の支持部材に相当し、樹脂ケース６が突起して形成された部位にネジ止めされており、その形状は板状に限定されず、棒状の部材であってもよい。また、支持板１１は、加熱部９の外周に沿って複数個設けられており、バネ１０は、支持板１１にそれぞれ嵌挿され、上方には絶縁用キャップ１２が載置される。絶縁用キャップ１２は、その下部が径方向に拡大した部位を備えており、その部位に、加熱部９の外郭を構成する加熱部外郭板金１３にネジにて締結された加熱部取付板金１４が載置される。
【００１６】
次に、上記の加熱部９の構成について説明する。
加熱部９は、上記のように、その外郭を構成する加熱部外郭板金１３を備えており、この加熱部外郭板金１３は、電気的な絶縁機能を持った絶縁部１５を収納している。絶縁部１５はその外周部分が天板４側に突起し、全体が円板状の形態から構成されている。なお、この絶縁部１５は例えば複数の絶縁材から構成されている例が図示されているが、１個の絶縁材から構成するようにしてもよい。何れの場合であっても、この絶縁部１５の底部には外周方向に沿って段差１５ａが形成されている。このため、この絶縁部１５を収納している加熱部外郭板金１３にも段差１３ａが形成されている。絶縁部１５の上には、調理物を加熱するための加熱源であるヒータ１６が載置されている。ヒータ１６と加熱部制御基板８はリード線（図示せず）により接続され、加熱部制御基板８の指令により、ヒータ１６のＯＮ、ＯＦＦが制御される。また、加熱部外郭板金１３の段差１３ａには複数の加熱部取付板金１４がネジで締結されており、加熱部取付板金１４のそれぞれが上記のように絶縁用キャップ１２に載置されている。
【００１７】
（動作）
上記のように構成された加熱調理器では、以下のように動作する。
例えば使用者が、調理物の入った鍋を、加熱部９の上方の天板４に載置し、加熱開始ボタン（図示せず）を押下すると、加熱部制御基板８によりヒータ１６の加熱が開始される。同時に、加熱部制御基板８の指令により、ファン７の回転が開始される。ファン７が回転することによって、吸気口２より冷却風１９が本体内部に吸気される。冷却風１９は、加熱部制御基板８付近、加熱部９の下方を通り、斜面１８により、シリコン接着部１７に当たるとともに、排気口３より排気される。このようなファン７の回転による冷却風１９の吸気・排気により、本体内部の温度や、シリコン接着部１７等の温度を低下させている。
【００１８】
（効果）
以上のように構成され、動作する本実施の形態１に係る加熱調理器について、その効果を説明する。
【００１９】
（効果１）
上記の加熱調理器において、仮に、加熱部９に設けられた絶縁部１５の一次絶縁が吸湿等により劣化した場合には、ヒータ１６と加熱部外郭板金１３とが電気的に短絡した状態になる場合がある。加熱部取付板金１４は、加熱部外郭板金１３に金属製のネジにて締結されているため、ヒータ１６と、加熱部取付板金１４も、電気的に短絡した状態となる。さらに、この状態で、絶縁用キャップ１２の二次絶縁が加熱調理器の落下等により破損し、絶縁が劣化した場合には、加熱部外郭板金１３と金属製の支持板１１が電気的に短絡された状態となる。つまり、ヒータ１６と支持板１１が電気的に短絡された状態とになる。
【００２０】
しかしながら、本実施形態においては、支持板１１が、加熱部制御基板８、ファン７が設置された樹脂ケース６にネジで締結されており、樹脂ケース６は外郭ケース１と絶縁されているので、上記のように、ヒータ１６と支持板１１とが仮に電気的に短絡された状態、つまり、二次絶縁が劣化した状態であっても、支持板１１と外郭ケース１との間には樹脂ケース６が介在しており両者は絶縁されているので、支持板１１が外郭ケース１と電気的に短絡することはない。
【００２１】
（効果２）
また、加熱部９の下方に、金属に比べて熱伝導率の低い樹脂製の樹脂ケース６を設けているため、加熱部９の熱を、樹脂ケース６にて効率よく遮熱することができ、外郭ケース１の温度上昇を抑制することができる。そのため、キッチン内の温度上昇を抑制し、キッチン内に収納された調味料の劣化を抑制することができる加熱調理器を提供することができる。
【００２２】
（効果３）
また、シリコン接着部１７に、冷却風１９を当てるための斜面１８を設けたことにより、シリコン接着部１７の温度上昇が抑制され、天板フレーム５の温度上昇を抑制することができるので、使用者が火傷をする恐れを低減し、安全性の高い加熱調理器を提供することができる。
【図面の簡単な説明】
【００２３】
【図１】本発明の実施の形態１に係る加熱調理器の上面図である。
【図２】図１のＡ−Ａ断面図である。
【符号の説明】
【００２４】
１：外郭ケース、２：吸気口、３：排気口、４：天板、５：天板フレーム、６：樹脂ケース、７：ファン、８：加熱部制御基板、９：加熱部、１０：バネ、１１：支持板、１２：絶縁用キャップ、１３：加熱部外郭板金、１４：加熱部取付板金、１５：絶縁部、１６：ヒータ、１７：シリコン接着部、１８：斜面、１９：冷却風。
【図１】
2010032188.tif 000003
【図２】
2010032188.tif 000004